(57)【要約】【課題】障害発生時において、各ユニットの起動時条件に応じ、各ユニットの駆動部や、滞留している用紙へ負担を掛けることなく、リカバリー動作を行う。【解決手段】用紙を供給する給紙経路からヘッドユニット１１０を経て、排紙経路へ至る通常経路ＣＲと、通常経路ＣＲに分岐接続され、通常経路ＣＲから用紙が受け渡され、用紙を往復させて通常搬送路に戻すことにより用紙の表裏を反転させるスイッチバック経路ＳＲと、搬送経路が停止された際に、搬送経路の再駆動処理時における搬送経路に係る各駆動部それぞれの起動時間に応じて、これら各駆動部の駆動開始タイミングの制御を行うリカバリー判定部３３２とを有する。【選択図】  図３
2009292557.tif 000002
【特許請求の範囲】
【請求項１】
搬送経路上を搬送される用紙表面に画像を形成する画像形成部を有する印刷装置のリカバリー機構であって、
前記搬送経路が停止された際に、前記搬送経路の再駆動処理時における該搬送経路に係る各駆動部それぞれの起動時間に応じて、これら各駆動部の駆動開始タイミングの制御を行う再駆動制御部を備えることを特徴とする印刷装置のリカバリー機構。
【請求項２】
前記搬送経路は、
前記用紙を供給する給紙経路から前記画像形成部を経て、排紙経路へ至る通常搬送路と、
前記通常搬送路に分岐接続され、該通常搬送路から前記用紙が受け渡され、該用紙を往復させて該通常搬送路に戻すことにより該用紙の表裏を反転させる反転経路と
から構成され、
前記再駆動制御部は、前記再駆動処理に際し、前記通常搬送路及び前記反転経路に係る各駆動部それぞれの起動時間に応じて、これら各駆動部の駆動開始タイミングの制御を行う
ことを特徴とする請求項１に記載の印刷装置のリカバリー機構。
【請求項３】
前記給紙経路と前記搬送経路との合流点近傍において、前記用紙の送り出しを行うレジスト部をさらに有し、
前記再駆動制御部は、前記搬送経路側の駆動部を、前記レジスト部側の駆動部より先行させて駆動を開始させることを特徴とする請求項１又は２に記載の印刷装置のリカバリー機構。
【請求項４】
前記再駆動制御部は、前記通常搬送路側の駆動部を、前記反転経路側の駆動部より先行させて駆動を開始させることを特徴とする請求項２に記載の印刷装置のリカバリー機構。
【請求項５】
印刷を行う用紙が片面印刷か又は両面印刷かに応じて、前記通常経路と前記反転経路との切替え、各用紙の給紙、画像形成及び搬送に関する速度及びタイミングをスケジューリングするスケジューリング部と、
前記スケジューリングと、前記搬送経路の再駆動処理時における該搬送経路に係る各駆動部の駆動順序及び駆動速度とを関連づけた再駆動情報を格納する再駆動情報格納部と
をさらに備え、
前記再駆動制御部は、前記スケジューリングに基づいて、前記再駆動情報を照合し、その照合結果に応じて、前記搬送経路の再駆動処理時における該搬送経路に係る各駆動部の制御を行う
ことを特徴とする請求項２に記載の印刷装置のリカバリー機構。
【請求項６】
搬送経路上を搬送される用紙表面に画像を形成する画像形成部を有する印刷装置のリカバリー方法であって、
前記搬送経路が停止された際に、前記搬送経路の再駆動処理時における該搬送経路に係る各駆動部それぞれの起動時間に応じて、これら各駆動部の駆動開始タイミングの制御を行う再駆動制御ステップを有することを特徴とする印刷装置のリカバリー方法。
【請求項７】
前記搬送経路は、
前記用紙を供給する給紙経路から前記画像形成部を経て、排紙経路へ至る通常搬送路と、
前記通常搬送路に分岐接続され、該通常搬送路から前記用紙が受け渡され、該用紙を往復させて該通常搬送路に戻すことにより該用紙の表裏を反転させる反転経路と
から構成され
前記再駆動制御ステップでは、前記再駆動処理に際し、前記通常搬送路及び前記反転経路に係る各駆動部それぞれの起動時間に応じて、これら各駆動部の駆動開始タイミングの制御を行う
ことを特徴とする請求項６に記載の印刷装置のリカバリー方法。
【請求項８】
前記搬送経路に、前記給紙経路と前記搬送経路との合流点近傍において、前記用紙の送り出しを行うレジスト部を設け、
前記再駆動制御ステップでは、前記搬送経路側の駆動部を、前記レジスト部側の駆動部より先行させて駆動を開始させることを特徴とする請求項６又は７に記載の印刷装置のリカバリー方法。
【請求項９】
前記再駆動制御ステップでは、前記通常搬送路側の駆動部を、前記反転経路側の駆動部より先行させて駆動を開始させることを特徴とする請求項７に記載の印刷装置のリカバリー方法。
【請求項１０】
前記搬送経路が停止された際の、該搬送経路中において滞留している前記用紙の位置と、前記搬送経路の再駆動処理時における該搬送経路に係る各駆動部の駆動順序及び駆動速度とを関連づけた再駆動情報を記憶保持する再駆動情報格納ステップと、
印刷を行う用紙が片面印刷か又は両面印刷かに応じて、前記通常経路と前記反転経路との切替え、各用紙の給紙、画像形成及び搬送に関する速度及びタイミングをスケジューリングするスケジューリングステップと、
をさらに有し、
前記再駆動制御ステップでは、前記スケジューリングに基づいて、前記再駆動情報を照合し、その照合結果に応じて、前記搬送経路の再駆動処理時における該搬送経路に係る各駆動部の制御を行う
ことを特徴とする請求項７に記載の印刷装置のリカバリー方法。
【発明の詳細な説明】
【技術分野】
【０００１】
本発明は、搬送経路上を搬送される用紙表面に画像を形成する画像形成部を有する印刷装置に係り、特に、ジャム発生時などにおける緊急停止後の印刷装置のリカバリー機構及びリカバリー方法に関する。
【背景技術】
【０００２】
従来、インクジェットをはじめとする印刷装置では、紙詰まりなどの搬送不良（所謂、搬送ジャム）が発生した場合には、前後用紙との衝突などのを様々なトラブルを防ぐため、一旦搬送動作が停止される。そして、このような従来の印刷装置では、用紙の搬送不良が発生したことを検知したときに、印刷動作を即時停止させて、ユーザーに搬送不良が発生している箇所を知らせ、ユーザーはその情報に応じて、カバー類を開けて、印刷装置内部にそのまま残った用紙を取り除くことができる（例えば、特許文献１）。
【特許文献１】特開２００６−１１１３６６号公報
【発明の開示】
【発明が解決しようとする課題】
【０００３】
しかしながら、搬送中に搬送ジャムが発生した場合、その搬送動作は、緊急停止されるが、この緊急停止時には、用紙のサイズや種類、各搬送経路の負荷の違いや駆動モータの特性によって、停止のパターンが変わり、予期せぬ状態で用紙が停止してしまうことがある。
【０００４】
特に、搬送経路が複数のユニットに分割されているようなケースでは、各ユニット間に跨って用紙が滞留した場合、各ユニットは負荷の違いにより起動時間が異なるため、各ユニットを同時に再起動してリカバリー動作を開始しすると、ユニット間の駆動力や駆動タイミングの違いにより、これらの間で対流している用紙に紙折れ発生したり、先に駆動し始めた一方のユニットの駆動力が、遅れて駆動する他方のユニットに伝達されてしまい、用紙の引っ張り合いとなり各ユニットが脱調したり、起動できないという惧れがあった。
【０００５】
そこで、本発明は、上記のような問題を解決するものであり、各ユニットの起動時条件に応じて、起動タイミングを変更することで、各ユニットの駆動部や、滞留している用紙に負担を掛けることなく、リカバリー動作を行うことができる印刷装置のリカバリー機構及びリカバリー方法を提供することを目的とする。
【課題を解決するための手段】
【０００６】
上記課題を解決するために、本発明は、搬送経路上を搬送される用紙表面に画像を形成する画像形成部を有する印刷装置のリカバリー機構であって、搬送経路が停止された際に、搬送経路の再駆動処理時における搬送経路に係る各駆動部それぞれの起動時間に応じて、これら各駆動部の駆動開始タイミングの制御を行う再駆動制御部を有する。
【０００７】
このような本発明によれば、印刷機において、搬送ジャムにより搬送制御を停止した場合に、搬送経路中において異なる駆動系統の間に用紙が跨る状態で搬送動作を停止したときであっても、各搬送経路の搬送駆動ユニットの負荷に応じて、起動タイミングを変えることにより、用紙や駆動手段に過大な負荷を与えずに排出動作を行うことができ、ユニット間における用紙の引っ張り合いを回避し、各ユニットの正常動作を維持することができる。
【０００８】
上記発明において、前記搬送経路は、前記用紙を供給する給紙経路から前記画像形成部を経て、排紙経路へ至る通常搬送路と、前記通常搬送路に分岐接続され、該通常搬送路から前記用紙が受け渡され、該用紙を往復させて該通常搬送路に戻すことにより該用紙の表裏を反転させる反転経路とから構成され、前記再駆動処理に際し、通常搬送路及び反転経路に係る各駆動部それぞれの起動時間に応じて、これら各駆動部の駆動開始タイミングの制御を行うことが好ましい。この場合には、反転経路を経由して表裏が反転された用紙を、表面を印刷する用紙の間に挿入し、表面の印刷と裏面の印刷とを並行させることによって、両面印刷時の生産性を向上させることができるとともに、リカバリー処理に際しての、生産性の低下を抑止することができる。
【０００９】
上記発明では、前記搬送経路に、給紙経路と搬送経路との合流点近傍において、用紙の送り出しを行うレジスト部を設け、前記再駆動制御では、搬送経路側の駆動部を、レジスト部側の駆動部より先行させて駆動を開始させることが好ましい。すなわち、レジスト部は給紙を行うという機能上、駆動機構の負荷を軽くして起動時間を短縮する必要があり、一方、搬送経路側では、大量の用紙を高速で搬送するという機能上、負荷を大きくする必要があることから、本発明では、搬送経路側の駆動部を、レジスト部の駆動部より先行させて駆動を開始させることにより、搬送経路とレジスト部との間における、負荷や特性の相違を吸収することができる。
【００１０】
また、上述したように、搬送経路を通常搬送路と反転経路とから構成した場合には、再駆動制御部が、通常経路側の駆動部を、反転経路側の駆動部より先行させて駆動を開始させることが好ましい。すなわち、反転経路部は用紙を反転させるという機能上、駆動機構の負荷を軽くして起動時間を短縮する必要があり、一方、通常搬送路では、大量の用紙を高速で搬送するという機能上、負荷を大きくする必要があることから、本発明では、通常搬送路側の駆動部を、反転経路の駆動部より先行させて駆動を開始させることにより、通常搬送路と反転経路部との間における、負荷や特性の相違を吸収することができる。
【００１１】
上記発明において、搬送経路が停止された際の、搬送経路中において滞留している用紙の位置と、搬送経路の再駆動処理時における搬送経路に係る各駆動部の駆動順序及び駆動速度とを関連づけた再駆動情報を格納する再駆動情報格納部と、搬送経路が停止された際に、搬送経路中で滞留している用紙の位置を検出する滞留検出手段とをさらに備え、再駆動制御部は、滞留検出手段による検出結果に基づいて、再駆動情報を照合し、その照合結果に応じて、搬送経路の再駆動処理時における搬送経路に係る各駆動部の制御を行うことが好ましい。
【００１２】
上記発明において、搬送経路を通常搬送路と反転経路とから構成した場合に、印刷を行う用紙が片面印刷か又は両面印刷かに応じて、通常経路と反転経路との切替え、各用紙の給紙、画像形成及び搬送に関する速度及びタイミングをスケジューリングするスケジューリング部と、スケジューリングと、搬送経路の再駆動処理時における搬送経路に係る各駆動部の駆動順序及び駆動速度とを関連づけた再駆動情報を格納する再駆動情報格納部とをさらに備え、前記再駆動制御部は、スケジューリングに基づいて、再駆動情報を照合し、その照合結果に応じて、搬送経路の再駆動処理時における搬送経路に係る各駆動部の制御を行うことが好ましい。この場合には、片面印刷か両面印刷かに応じて、搬送経路に係る各駆動部の駆動順序及び駆動速度の制御を行うため、反転経路におけるリカバリーの必要性を適切に判断することができ、搬送ジャム発生時のリカバリー方法をより正確に最適化することができる。
【００１３】
他の発明は、搬送経路上を搬送される用紙表面に画像を形成する画像形成部を有する印刷装置のリカバリー方法であって、搬送経路が停止された際に、搬送経路の再駆動処理時における搬送経路に係る各駆動部それぞれの起動時間に応じて、これら各駆動部の駆動開始タイミングの制御を行う再駆動制御ステップを有する。
【００１４】
このような本発明によれば、印刷機において、搬送ジャムにより搬送制御を停止した場合に、搬送経路中において異なる駆動系統の間に用紙が跨る状態で搬送動作を停止したときであっても、各搬送経路の搬送駆動ユニットの負荷に応じて、起動タイミングを変えることにより、用紙や駆動手段に過大な負荷を与えずに排出動作を行うことができ、ユニット間における用紙の引っ張り合いを回避し、各ユニットの正常動作を維持することができる。
【００１５】
上記発明において、前記搬送経路は、前記用紙を供給する給紙経路から前記画像形成部を経て、排紙経路へ至る通常搬送路と、前記通常搬送路に分岐接続され、該通常搬送路から前記用紙が受け渡され、該用紙を往復させて該通常搬送路に戻すことにより該用紙の表裏を反転させる反転経路とから構成され、前記再駆動処理に際し、通常搬送路及び反転経路に係る各駆動部それぞれの起動時間に応じて、これら各駆動部の駆動開始タイミングの制御を行うことが好ましい。この場合には、反転経路を経由して表裏が反転された用紙を、表面を印刷する用紙の間に挿入し、表面の印刷と裏面の印刷とを並行させることによって、両面印刷時の生産性を向上させることができるとともに、リカバリー処理に際しての、生産性の低下を抑止することができる。
【００１６】
上記発明において、前記搬送経路に、給紙経路と搬送経路との合流点近傍において、用紙の送り出しを行うレジスト部を設け、前記再駆動制御ステップでは、搬送経路側の駆動部を、レジスト部側の駆動部より先行させて駆動を開始させることが好ましい。すなわち、レジスト部は給紙を行うという機能上、駆動機構の負荷を軽くして起動時間を短縮する必要があり、一方、搬送経路側では、大量の用紙を高速で搬送するという機能上、負荷を大きくする必要があることから、本発明では、搬送経路側の駆動部を、レジスト部の駆動部より先行させて駆動を開始させることにより、搬送経路とレジスト部との間における、負荷や特性の相違を吸収することができる。
【００１７】
また、上述したように、搬送経路を通常搬送路と反転経路とから構成した場合には、再駆動制御ステップでは、通常搬送路側の駆動部を、反転経路側の駆動部より先行させて駆動を開始させることが好ましい。この場合には、通常搬送路側の駆動部を、反転経路の駆動部より先行させて駆動を開始させることにより、通常搬送路と反転経路部との間における、負荷や特性の相違を吸収することができる。
【００１８】
上記発明において、搬送経路を通常搬送路と反転経路とから構成した場合に、搬送経路が停止された際の、搬送経路中において滞留している用紙の位置と、搬送経路の再駆動処理時における搬送経路に係る各駆動部の駆動順序及び駆動速度とを関連づけた再駆動情報を記憶保持する再駆動情報格納ステップと、印刷を行う用紙が片面印刷か又は両面印刷かに応じて、通常経路と反転経路との切替え、各用紙の給紙、画像形成及び搬送に関する速度及びタイミングをスケジューリングするスケジューリングステップと、をさらに有し、再駆動制御ステップでは、スケジューリングに基づいて、再駆動情報を照合し、その照合結果に応じて、搬送経路の再駆動処理時における搬送経路に係る各駆動部の制御を行うことが好ましい。この場合には、片面印刷か両面印刷かに応じて、搬送経路に係る各駆動部の駆動順序及び駆動速度の制御を行うため、反転経路におけるリカバリーの必要性を適切に判断することができ、搬送ジャム発生時のリカバリー方法をより正確に最適化することができる。
【発明の効果】
【００１９】
以上述べたように、この発明によれば、通常経路から受け渡された用紙を、反転経路で往復させて用紙の表裏を反転させるスイッチバック機構を備えた印刷装置において、各経路（ユニット）の搬送駆動の起動時条件に応じて、起動タイミングを変更することにより、各ユニットの駆動部や、滞留している用紙に負担を掛けることなく、リカバリー動作を行うことができる。
【発明を実施するための最良の形態】
【００２０】
（印刷装置の全体構成）
本発明の実施形態について図面を参照して説明する。図１は、本実施形態に係る印刷装置１００の印刷用紙搬送経路の概要を示す図である。
【００２１】
先ず、図１に示すように印刷装置１００は、搬送経路上を搬送される用紙表面に画像を形成する装置であり、印刷用紙の供給を行う給紙機構として、筐体側面の外部に露出したサイド給紙台１２０と、筐体内部に設けられた複数の給紙トレイ（１３０ａ、１３０ｂ、１３０ｃ、１３０ｄ）とを備えている。また、印刷済の印刷用紙を排出する排紙機構として排紙口１４０を備えている。
【００２２】
本実施形態では、印刷装置１００は、用紙幅方向に伸び、多数のノズルが形成されたインクヘッドを複数備え、それぞれのインクヘッドから黒又はカラーインクを吐出してライン単位で印刷を行い、搬送ベルト上の記録用紙上に複数の画像を互いに重なり合うように形成するインクジェット方式のラインカラープリンタとする。
【００２３】
サイド給紙台１２０、給紙トレイ１３０のいずれかの給紙機構から給紙された印刷用紙は、ローラー等の駆動機構によって筐体内の給紙系搬送路ＦＲに沿って搬送され、印刷用紙の先頭部分の基準位置であるレジスト部Ｒに導かれる。レジスト部Ｒのさらに搬送方向側には、複数の印字ヘッドを備えたヘッドユニット１１０が設けられている。印刷用紙は、ヘッドユニット１１０の対向面に設けられた搬送ベルト１６０によって印刷条件により定められる速度で搬送されながら、各印字ヘッドから吐出されたインクによりライン単位で画像形成される。
【００２４】
印刷済の印刷用紙は、さらに、ローラー等の駆動機構によって筐体内を搬送される。印刷用紙の片側の面のみに印刷を行う片面印刷の場合は、そのまま排紙口１４０に導かれて排紙され、排紙口１４０の受台として設けられた排紙台１５０に印刷面を下にして積載されていく。排紙台１５０は、筐体から突出したトレイ形状をしており、ある程度の厚みを有している。排紙台１５０は傾斜しており、傾斜の下位置に形成された壁により、排紙口１４０から排紙された印刷用紙が自然に整えられて重なっていくようになっている。
【００２５】
印刷用紙の両面に印刷を行う両面印刷の場合は、表面（最初に印刷される面を「表面」、次に印刷される面を「裏面」とする）印刷終了時には排紙口１４０に導かれずに、さらに筐体内を搬送される。このため、印刷装置１００は、裏面印刷用に搬送路を切り替えるための切替機構１７０を備えている。切替機構１７０によって排出されなかった印刷用紙は、スイッチバック経路ＳＲに引き込まれる。
【００２６】
このスイッチバック経路ＳＲにおいて、通常経路ＣＲから用紙が受け渡され、用紙を往復させて通常経路ＣＲに戻すことにより用紙の表裏を反転させる、所謂スイッチバックを行う。そして、ローラー等の駆動機構によって、切替機構１７２を経由して再度レジスト部Ｒに給紙され、表面と同様の手順によって裏面の印刷が行われる。その後、裏面の印刷が行われ、両面に画像が形成された印刷用紙は、排紙口１４０に導かれて排紙され、排紙口１４０の受台として設けられた排紙台１５０に積載されていく。
【００２７】
なお、本実施形態では、両面印刷時におけるスイッチバックを、排紙台１５０内に設けられた空間を利用して行うようにしている。排紙台１５０内に設けられた空間は、スイッチバック時に印刷用紙が外部から取り出せないように覆われた構成となっている。これにより、利用者が誤ってスイッチバック動作中の印刷用紙を引き抜いてしまうことを防ぐことができる。また、排紙台１５０は、本来印刷装置１００に備えられているものであり、排紙台１５０内の空間を利用してスイッチバックを行うことにより、印刷装置１００内に、別途スイッチバック用の空間を設ける必要がなくなる。したがって、筐体のサイズが増大してしまうことを防ぐことができる。さらには、排紙口とスイッチバック経路とを共用しないため、スイッチバック処理と他の用紙の排紙とを並行して行うことができる。
【００２８】
印刷装置１００では、給紙された印刷用紙の先頭部分の基準位置となるレジスト部Ｒには、両面印刷時に片面印刷済の印刷用紙も再給紙されてくる。このため、レジスト部Ｒの直前部分には、新規に給紙される印刷用紙の搬送経路と、裏面印刷の用紙が循環して搬送されてくる再給紙経路とが合流する合流地点が存在する。そして、レジスト部Ｒは、給紙系搬送路ＦＲと通常経路ＣＲとの合流点近傍において、用紙の送り出しを行う。
【００２９】
なお、本実施形態では、上記合流地点を基準に、給紙機構側の経路を給紙系搬送路ＦＲとし、それ以外の経路を搬送経路とする。この搬送経路は環状をなし、通常経路ＣＲとスイッチバック経路ＳＲとが含まれる。図２は、給紙系搬送路ＦＲと通常経路ＣＲとスイッチバック経路ＳＲとを模式的に示した図である。簡単のため、駆動部を構成するローラーの個数は適宜省略している。
【００３０】
給紙系搬送路ＦＲには、サイド給紙台１２０からの給紙を行うためのサイド給紙駆動部２２０、給紙トレイ１３０（１３０ａ、１３０ｂ、１３０ｃ、１３０ｄ）からの給紙を行うためのトレイ１駆動部２３０ａ、トレイ２駆動部２３０ｂ…が備えられている。これらによって、レジスト部Ｒに用紙を送り出す給紙手段が構成されている。
【００３１】
さらに、上述した給紙系搬送路ＦＲにおけるいずれの駆動部（トレイ１駆動部２３０ａ、トレイ２駆動部２３０ｂ…）も複数のローラー等で構成された駆動機構を備え、給紙台又は給紙トレイに積載された印刷用紙を１枚ずつ取り込んで、レジスト部Ｒ方向に搬送する。各駆動部は独立に駆動することが可能であり、給紙を行う給紙機構に応じて必要な駆動部の動作が行われる。
【００３２】
また、給紙系搬送路ＦＲには、搬送センサが複数個配置され、給紙系搬送路ＦＲにおける搬送ジャムを検出できるようになっている。すなわち、各搬送センサは、印刷用紙の有無又は印刷用紙の先端を検出するセンサであり、例えば、搬送経路上に複数の搬送センサを適当な間隔で並べ、給紙側に設けられた搬送センサが印刷用紙を検出してから所定時間内に搬送方向側の搬送センサが印刷用紙を検出しない場合に、搬送ジャムが発生したと判断することができる。
【００３３】
これら搬送センサのうち、用紙の送り出しを行うレジスト部Ｒ手前のレジスト部センサは、搬送中の用紙サイズを計測し、例えば、用紙の通過速度及び通過時間に基づいて、通過中の用紙のサイズを測定したり、サイド給紙駆動部２２０、トレイ１駆動部２３０ａ等を駆動させてから所定時間内に搬送センサが印刷用紙を検出しない場合に、搬送ジャム（給紙エラー）が発生したと判断することができる。
【００３４】
通常経路ＣＲは、循環搬送路の一部を構成し、用紙を供給する給紙系搬送路ＦＲからヘッドユニット１１０を経て、排紙口１４０へ至る経路であり、この通常経路ＣＲ上において用紙上面に画像が形成される。この通常経路ＣＲには、レジスト部Ｒに印刷用紙を導くレジスト駆動部２４０、ヘッドユニット１１０の対向面に設けられた搬送ベルト１６０を無端移動させるために駆動するベルト駆動部２５０、搬送方向側に順に配置される第１上面搬送駆動部２６０及び第２上面搬送駆動部２６５、排紙口１４０に印刷済の用紙を導く上面排出駆動部２７０、裏面印刷用に印刷用紙をスイッチバック経路ＳＲに引き込む駆動手段が備えられている。いずれの駆動部も１又は複数のローラー等で構成された駆動機構を備え、搬送経路に沿って印刷用紙を１枚ずつ搬送する。各駆動部は独立に駆動することが可能であり、印刷用紙の搬送状況に応じて必要な駆動部の動作が行われる。
【００３５】
さらに、通常経路ＣＲにも搬送センサが複数個配置され、通常経路ＣＲにおける搬送ジャムを検出できるようになっている。さらに、レジスト部Ｒにおいても適切に印刷用紙が搬送されていることを確認できるようになっている。通常経路ＣＲでは、駆動部対応に搬送センサが設けられており、通常経路ＣＲのどの駆動部で搬送ジャムが発生したかを特定することができるようになっている。
【００３６】
スイッチバック経路ＳＲは、通常経路ＣＲに分岐接続され、通常経路ＣＲから用紙が受け渡され、用紙を往復（スイッチバック）させて通常経路ＣＲに戻すことにより用紙の表裏を反転させる反転経路及び搬送機構であり、このスイッチバック経路ＳＲには、用紙を反転させて合流地点に導く反転駆動部２８１が備えられている。そして、スイッチバック経路ＳＲでは、通常経路ＣＲと異なる速度で搬送が可能であり、通常経路ＣＲから用紙を引き継ぐ際に、加速・減速させたり、スイッチバックの際の停止時間を延長したり短縮したりすることができる。
【００３７】
さらに、本実施形態においてスイッチバック経路ＳＲでは、正転することにより第２上面搬送からスイッチバック経路ＳＲへ用紙を導入し、逆転することにより通常経路ＣＲとの合流地点へ用紙を導出する反転駆動部２８１としての駆動ローラーが備えられ、再駆動（リカバリー）処理時には、反転駆動部２８１の正転又は逆転が切り替えられて、用紙の搬送不良を解消する。一方、スイッチバック経路ＳＲの再給紙側（レジスト部Ｒ側）には、再給紙のために用紙を送り出すための再給紙駆動部２８２として駆動ローラーが備えられている。
【００３８】
そして、本実施形態においては、ある印刷用紙を給紙した後、その印刷用紙に印刷が施され排紙されるのを待って次の印刷用紙を給紙するのではなく、スケジューリングにより、先行する印刷用紙が排紙される前に、後続の印刷用紙を給紙して、所定の間隔で連続的に印刷することができるようになっている。
【００３９】
詳述すると、本装置における両面印刷では、図５に示すように、用紙は、ヘッドユニット１１０において印刷された後（同図（ａ））、通常経路ＣＲを循環し、スイッチバック経路ＳＲを経由して表裏が反転され、再度、ヘッドユニット１１０に戻り（同図（ｂ））、裏面が印刷された後、排出される（同図（ｃ））。このような両面印刷において、スイッチバック経路ＳＲを経由して表裏が反転された用紙（図中での例示では、用紙(1')）は、同図（ｂ）に示すように、表面を印刷する用紙（図中での例示では、用紙(3)と(4)）の間に挿入される。
【００４０】
したがって、両面印刷時の通常のスケジューリングでは、表面の用紙を給紙する際に、スイッチバック経路ＳＲから戻ってきた用紙が挿入される位置を確保するように、予めスペースを確保しておく。これにより、本装置では、表面の印刷と裏面の印刷とを並行させることができ、片面印刷時に対して１／２の生産性を確保することができる。
【００４１】
前記搬送ベルト１６０は、ヘッドユニット１１０に対向する面の前端及び後端に配設された駆動ローラー１６１及び従動ローラー１６２に掛け渡されてベルトプラテンを構成しており、図１中時計回り方向に回転移動する。また、搬送ベルト１６０の上面には、そのベルト移動方向に沿って、イエロー（Ｙ）、マゼンタ（Ｍ）、シアン（Ｃ）、黒（Ｋ）の４つのインクヘッドが並べて配置され、複数の画像を互いに重なり合うようにしてカラー画像を形成するヘッドユニット１１０が対向配置されている。
【００４２】
さらに、図１に示すように、印刷装置１００には、演算処理部３３０が備えられている。この演算処理部３３０は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、プログラムを適宜読み込んで実行することにより種々の機能モジュールを仮想的に構築し、構築された各機能モジュールによって、画像データに関する処理や、各部の動作制御、ユーザー操作に対する種々の処理を行う。また、この演算処理部３３０には、操作パネル３３０ａが接続されており、この操作パネル３３０ａを通じて、ユーザーによる指示や設定操作を受け付けることができる。
【００４３】
（演算処理部の構成）
そして、本実施形態におけるリカバリー処理は、演算処理部３３０によって、ヘッドユニット１１０及び各駆動モータ、各切替機構等の搬送路駆動手段の動作を制御することにより行われる。図３は、演算処理部３３０におけるリカバリー処理に係る機能モジュールを示すブロック図である。
【００４４】
図３に示すように、演算処理部３３０は、主として、画像処理部３３１と、リカバリー判定部３３２と、画像データ受信部３３３と、駆動制御部３３４と、スケジューリング部３３５とが含まれている。
【００４５】
画像データ受信部３３３は、ジョブデータを受信する通信インターフェースであり、受信したジョブデータに含まれる画像データを画像処理部３３１及びスケジューリング部３３５に受け渡すモジュールである。
【００４６】
画像処理部３３１は、画像処理に特化したディジタル信号処理を行う演算処理装置であり、印刷に必要な画像データの変換等を行い、印刷を実行するモジュールである。この画像処理部３３１は、画像形成制御部３３１ａと、色変換回路３３１ｂとを有している。
【００４７】
画像形成制御部３３１ａは、各色のインクヘッドの駆動や、搬送経路の駆動手段の動作を制御し、画像形成処理全体を制御するモジュールであり、スケジューリング部３３５のスケジューリングに従ったタイミング及び印字速度で画像形成を行う。色変換回路３３１ｂは、ＲＧＢ印刷画像をＣＭＹＫ印刷画像に変換する回路であり、各色についての印刷画像に基づいて、画像形成制御部３３１ａに印刷を実行させる。
【００４８】
一方、リカバリー判定部３３２は、搬送経路が停止された際に、搬送経路のリカバリー時における搬送経路に係る各駆動部それぞれの起動時間に応じて、これら各駆動部の駆動開始タイミングの制御を行う再駆動制御部としての機能を果たすモジュールである。具体的に、このリカバリー判定部３３２は、スケジューリング部３３５によるスケジューリングに基づいて、再駆動情報３３２ａを照合し、その照合結果に応じて、リカバリー方法を切替え、駆動制御部３３４に対して、搬送経路の再駆動処理時における搬送経路に係る各駆動部の駆動順序、駆動方向及び駆動速度の制御をさせる。
【００４９】
すなわち、リカバリー判定部３３２には、スケジューリング部３３５が接続されており、スケジューリング部３３５から当該ジョブに係るスケジューリングを受け取り、当該ジョブに両面印刷が含まれているか否かを判断し、両面印刷が含まれている場合には、スイッチバック経路ＳＲにおいてジャムが発生する可能性があるとして、リカバリー方法を切り替える。両面印刷が含まれていない場合には、スイッチバック経路ＳＲにおけるジャムは発生し得ないことから、例えば、スイッチバックセンサや再給紙センサの検出結果を無視するなどして、レジスト部Ｒにおけるジャム解消を優先させて判定する。
【００５０】
本実施形態において、リカバリー判定部３３２には、再駆動情報を格納する再駆動情報格納部３３２ａが接続されている。この再駆動情報は、搬送経路が停止された時点の、スケジューリングの内容と、搬送経路のリカバリー動作（再駆動処理）時における搬送経路に係る各駆動部の起動条件を関連づけたテーブルデータであり、スケジューリング部３３５によるスケジューリングに基づいて、再駆動情報格納部３３２ａを参照することにより、リカバリー時の駆動順序及び駆動速度とを決定することができる。
【００５１】
【表１】
2009292557.tif 000003
表１は、各ユニットを起動させたときの起動時間の関係を示す。表１に示すように、ベルトプラテン、第１上面搬送及び第２上面搬送は、負荷が重く（或いはモータの特性上）、起動にはそれぞれ０．６m/s２、１．２m/s２、１．５m/s２の加速度を必要とする。一方、スイッチバックＳＲやレジスト部Ｒでは、負荷が軽くそれぞれ３２m/s２、２５m/s２の加速度を必要とする。このため、本実施形態では、通常搬送路側の駆動部を、レジスト部側の駆動部、或いはスイッチバック経路ＳＲ側の駆動部より先行させて駆動を開始させる。
【００５２】
さらに、リカバリー判定部３３２には、操作信号取得部３３７が接続されており、この操作信号取得部３３７は、操作パネル３３０ａからユーザーによる操作信号を受信し、ユーザー操作に基づいたリカバリーモードを設定するモジュールであり、受信した操作信号を解析し、ユーザー操作に応じたモード選択条件をリカバリー判定部３３２に出力する。リカバリー判定部３３２は、この操作信号取得部３３７における設定操作によって選択されたモードの種類に応じて、必要な駆動制御部３３４に対し動作指示を送出する。
【００５３】
本実施形態では、ユーザー操作により、このリカバリー判定部３３２でのリカバリー方法の切替えを行わせず、スケジューリングによらず一定のリカバリー方法を実行させるモードを設定することができる。例えば、スケジューリングによらず、通常搬送路ＣＲ側の駆動部を、レジスト部Ｒ側の駆動部より先行させて駆動を開始させ、また、通常搬送路ＣＲ側の駆動部を、反転経路ＳＲ側の駆動部より先行させて駆動を開始させる。
【００５４】
スケジューリング部３３５は、上述したように、表面に印刷を行う用紙、及び反転経路を経て表裏が反転された用紙の給紙、画像形成及び搬送に関する速度、順序及びタイミングを決定するモジュールである。また、このスケジューリング部３３５は、用紙の給紙、画像形成及び搬送に関する速度、順序及びタイミングを調整し、用紙の間隔を補正する機能も備えている。
【００５５】
駆動制御部３３４は、平常時においては、スケジューリング部３３５によるスケジューリングに従って搬送経路に係る各駆動部の動作制御を行うモジュールであり、ジャム等の搬送不良が発生した場合には、搬送経路の緊急停止及びリカバリー時の再駆動処理を実行する。具体的に駆動制御部３３４は、緊急停止後において、リカバリー判定部３３２による判定結果、及びスケジューリング部３３５のスケジューリングに応じて、通常経路ＣＲ、給紙系搬送路ＦＲ、及びスイッチバック経路ＳＲにおける搬送動作を制御する。特に、この駆動制御部３３４は、再駆動制御時における、反転駆動部２８１の正転又は逆転の他、ウエイト量や、反転後の搬送速度、反転動作時の加速度等を制御することができる。
【００５６】
また、本実施形態の駆動制御部３３４は、ジャム検出部３３８によるジャム検出に応じて搬送経路の駆動を緊急停止させる緊急停止部３３４ａと、リカバリー判定部３３２による判定結果に基づいて、搬送経路の再駆動処理時における搬送経路に係る各駆動部の駆動順序、駆動方向及び駆動速度の制御を行う再駆動制御部３３４ｂとを備えている。
【００５７】
なお、上記ジャム検出部３３８は、装置内に設けられた各種センサの集合であり、各センサからの検出信号により、ジャムの発生箇所を特定可能となっており、緊急停止部３３４ａは、この特定されたジャムの発生箇所に応じて、緊急停止の方法を切り替える機能を備えている。例えば、用紙浮センサからの検出信号であるときには、ヘッドユニット１１０の破損防止を最優先とし、全ての搬送動作を停止させる。また、両面印刷によるスイッチバック経路ＳＲ中でのジャムであるときに、スケジューリング部３３５のスケジュールにおいて、現在の印刷より後発の用紙が片面印刷であるなど、スイッチバック経路ＳＲでのジャムの影響が通常経路ＣＲでの搬送に影響がない場合には、通常経路ＣＲにおける印刷・搬送を続行する機能も備えている。
【００５８】
（リカバリー処理）
以上の構成を有する印刷装置の動作させることによって、以下のようなリカバリー方法を実施することができる。図４は、本実施形態に係る印刷装置のリカバリー処理時における動作を示すフローチャート図である。ここでは、両面印刷処理が実行されているものとする。
【００５９】
先ず、ジョブデータの受信等により画像データが画像データ受信部３３３により取得され、画像処理部３３１により画像データの展開や色変換回路３３１ｂによる色変換が行われるとともに、ジョブの内容に応じて搬送スケジューリングが行われ、スケジューリングに従って、給紙及び画像形成処理が開始される。
【００６０】
そして、搬送経路中においてジャムが発生し、ジャム検出部３３８により検出されたものとする（Ｓ１０１）。このジャムの検出に応じて緊急停止部３３４ａにより搬送動作が緊急停止される（Ｓ１０２）。
【００６１】
次いで、リカバリー処理が実行され（Ｓ１０３）、スケジューリングに基づいて、当該ジョブが片面印刷であるか両面印刷であるかについて判断する（Ｓ１０４）。片面印刷であれば、スイッチバック経路ＳＲに用紙が存在することはあり得ないため、ステップＳ１０５に示すように、ベルトプラテン、第１及び第２上面搬送、排紙、次いでレジストの順で起動させる（Ｓ１０５）。一方、両面印刷である場合は、スイッチバック経路ＳＲに用紙が存在する可能性があることから、スイッチバックセンサによる検出結果に基づいて、ベルトプラテン、第１及び第２上面搬送、排紙、レジスト、次いで必要であればスイッチバックの順で起動させる（Ｓ１０６）。
【００６２】
なお、上述した実施形態では、搬送経路を、排紙経路へ至る通常搬送路ＣＲと、通常搬送路ＣＲに分岐接続されたスイッチバック経路ＳＲとから構成し、再駆動処理に際し、通常搬送路ＣＲ及びスイッチバック経路ＳＲに係る各駆動部それぞれの起動時間に応じて、これら各駆動部の駆動開始タイミングの制御を行うようにしたが、本発明はこれに限定されるものではなく、異なる駆動系統を連結して構成された搬送経路を備えた印刷装置であれば、いずれにも適用することができる。
【００６３】
（作用・効果）
このような本実施形態によれば、スケジューリング部３３５を用いて、スイッチバック経路ＳＲを経由して表裏が反転された用紙を、表面を印刷する用紙の間に挿入し、表面の印刷と裏面の印刷とを並行させるようにスケジューリングすることにより、両面印刷時の生産性を向上させるとともに、両面印刷時におけるジャムが発生した際に、搬送制御を停止した場合であっても、各搬送経路の搬送駆動ユニットの負荷に応じて、起動タイミングを変えることにより、用紙や駆動手段に過大な負荷を与えずに排出動作を行うことができ、ユニット間における用紙の引っ張り合いを回避し、各ユニットの正常動作を維持することができる。
【００６４】
したがって、本実施形態によれば、スイッチバック機構及びそのスケジューリングによって印刷処理の生産性を高めることができるとともに、各経路（ユニット）の搬送駆動の起動時条件に応じて、起動タイミングを変更することにより、各ユニットの駆動部や、滞留している用紙に負担を掛けることなく、リカバリー動作を行うことができる。
【図面の簡単な説明】
【００６５】
【図１】実施形態に係る印刷装置の概略構成を示す図である。
【図２】実施形態に係る印刷装置の搬送路を模式的に示した図である。
【図３】実施形態に係る印刷装置における演算処理部のリカバリー処理に係る機能モジュールを示すブロック図である。
【図４】実施形態に係る印刷装置のリカバリー処理に関する動作を示すフローチャートである。
【図５】実施形態に係る印刷装置におけるスケジューリングの基本的な概要を示す説明図である。
【符号の説明】
【００６６】
ＣＲ…通常経路
ＦＲ…給紙系搬送路
Ｒ…レジスト部
ＳＲ…スイッチバック経路
１００…印刷装置
１１０…ヘッドユニット
１２０…サイド給紙台
１３０…給紙トレイ
１４０…排紙口
１５０…排紙台
１６０…搬送ベルト
１６１…駆動ローラー
１６２…従動ローラー
１７０，１７２…切替機構
２２０…サイド給紙駆動部
２３０ａ，ｂ…トレイ駆動部
２４０…レジスト駆動部
２５０…ベルト駆動部
２６０…第１上面搬送駆動部
２６５…第２上面搬送駆動部
２７０…上面排出駆動部
２８１…反転駆動部
２８２…再給紙駆動部
３３０…演算処理部
３３０ａ…操作パネル
３３１…画像処理部
３３１ａ…画像形成制御部
３３１ｂ…色変換回路
３３２…リカバリー判定部
３３２ａ…再駆動情報格納部
３３３…画像データ受信部
３３４…駆動制御部
３３４ａ…緊急停止部
３３４ｂ…再駆動制御部
３３５…スケジューリング部
３３６…ジャム検出部
３３７…操作信号取得部
【図１】
2009292557.tif 000004
【図２】
2009292557.tif 000005
【図３】
2009292557.tif 000006
【図４】
2009292557.tif 000007
【図５】
2009292557.tif 000008